(57)【要約】　【目的】　小型でも高変倍化が可能で、且つ、フレアの発生しない良好な視野像を得ることができる高性能な実像式変倍ファインダー光学系を提供すること。【構成】　物体側から順に配置された、正の屈折力を有する対物レンズ系と、該対物レンズ系による中間結像を正立正像にするための複数の反射部材を有する正立正像系と、正の屈折力を有する接眼レンズ系とを備えた実像式変倍ファインダー光学系において、前記対物レンズ系は、第一レンズ群Ｇ1と、負の屈折力を有する第二レンズ群Ｇ2と、正の屈折力を有する第三レンズ群Ｇ3と、負の屈折力を有する第四レンズ群Ｇ4とを含み、第四レンズ群Ｇ4と前記中間結像位置との間に前記正立正像系中の反射部材７ａを配置し、変倍時に少なくとも第二，第三及び第四レンズ群Ｇ2，Ｇ3，Ｇ4を光軸方向に移動し得るように構成されている。【選択図】　　　　　図５
2004110078.tif 000002
【特許請求の範囲】
【請求項１】
　物体側から順に配置された、正の屈折力を有する対物レンズ系と、該対物レンズ系による中間結像を正立正像にするための複数の反射部材を有する正立正像系と、正の屈折力を有する接眼レンズ系とを備えた実像式変倍ファインダー光学系において、
　前記対物レンズ系は、第一レンズ群と、負の屈折力を有する第二レンズ群と、正の屈折力を有する第三レンズ群と、負の屈折力を有する第四レンズ群とを含み、該第四レンズ群と前記中間結像位置との間に前記正立正像系中の反射部材を少なくとも一つ配置し、変倍時に少なくとも前記第二，第三及び第四レンズ群を光軸方向に移動し得るようにしたことを特徴とする実像式変倍ファインダー光学系。
【請求項２】
　物体側から順に配置された、正の屈折力を有する対物レンズ系と、該対物レンズ系による中間結像を正立正像にするための複数の反射部材を有する正立正像系と、正の屈折力を有する接眼レンズ系とを備えた実像式変倍ファインダー光学系において、
　変倍時に最も物体側へ移動したレンズ群の物体側に遮光部材を配置し、以下の条件式を満足するようにしたことを特徴とする実像式変倍ファインダー光学系。
　　　ＤT＞ＤW
　但し、ＤWは前記光学系の広角時における光軸上の遮光部材と最物体側の移動レンズ群との間隔、ＤTは前記光学系の望遠時における光軸上の遮光部材と最物体側の移動レンズ群との間隔である。
【請求項３】
　物体側から順に配置された、正の屈折力を有する対物レンズ系と、該対物レンズ系による中間結像を正立正像にするための複数の反射部材を有する正立正像系と、正の屈折力を有する接眼レンズ系とを備えた実像式変倍ファインダー光学系において、
　変倍時に最も物体側へ移動したレンズ群の物体側に遮光部材を配置し、以下の条件式を満足するようにしたことを特徴とする実像式変倍ファインダー光学系。
　　　φW＞φT
　但し、φWは前記光学系の広角時における光軸上の遮光部材の開口の大きさ、φTは前記光学系の望遠時における遮光部材の開口の大きさである。
【発明の詳細な説明】
【技術分野】
【０００１】
　本発明は、写真用カメラ又はビデオカメラ等に用いられる実像式変倍ファインダー光学系に関する。
【背景技術】
【０００２】
　撮像系とは別体に構成されたファインダー光学系として、実像式ファインダー光学系が良く知られている。この実像式ファインダー光学系では、視野枠が明確で良好な視野像が得られるが、近年では、ファインダーの小型，高変倍化の要求が高まってきている。
【０００３】
　実像式ファインダー光学系では、対物レンズ系が形成する逆転像（中間結像）を正立正像に修正するために正立正像系が必要とされるが、この正立正像系をポロプリズム等の反射系で構成する場合、中間結像位置を正立正像系の内部に設定したほうが、ファインダー光学系の全長を短く構成できることが知られている。即ち、従来接眼レンズ系に含まれていた四面の反射部材のうちの一部を対物レンズ系のバックフォーカス部に取り込めば、ファインダー光学系の全長を短く構成することができるのである。特に、対物レンズ系に二面以上の反射面を取り込んだ場合、中間結像位置と接眼レンズ系との間隔を短くすることができるため、接眼レンズ系の光学的性能を良好に維持できる利点も知られている。従って、近年では長いバックフォーカス部を確保できる対物レンズ系が求められている。
【０００４】
　バックフォーカスが長く、三倍程度の変倍比が得られる対物レンズ系としては、例えば、特開平３−４２１７号及び特開平５−５３０５４号公報に夫々開示されているような負，正，負の三群構成のものが従来から知られている。
【０００５】
　特開平３−４２１７号公報では、比較的レンズの径が小さい第二，第三レンズ群のみを移動させることで、機構部材をも含んだファインダー光学系全体の小型化を図ったものが開示されている。この光学系は、図１１（ａ）に示すように、第一レンズ群Ｇ1，第二レンズ群Ｇ2及び第三レンズ群Ｇ3から構成された対物レンズ系において、第二レンズ群Ｇ2を、光軸上を図示しない物体側（図の左側）へ繰り出すことで変倍し、この変倍に伴う視度のずれを第三レンズ群Ｇ3を移動させることにより補正している。又、第三レンズ群Ｇ3は、広角から中間までの変倍では前記物体側へ繰り出し、中間から望遠までの変倍では図示しない接眼レンズ系側（図の右側）へ繰り込み移動するようになっている。尚、対物レンズ系の全長は一定である。
【０００６】
　又、特開平５−５３０５４号公報に記載の光学系では、図１１（ｂ）に示すように、第一レンズ群Ｇ1及び第二レンズ群Ｇ2が変倍時に光軸上を夫々移動するようになっている。この光学系は、前記二つの変倍レンズ群が有する正の屈折力と第三レンズ群Ｇ3の有する負の屈折力とで、光学系全体を望遠タイプとして全長の短縮化を図ったものである。第二レンズ群Ｇ2を図示しない物体側（図の左側）へ繰り出すことで変倍し、変倍に伴う視度のずれを第一レンズ群Ｇ1を移動させることによって補正している。第一レンズ群Ｇ1は、広角から中間までの変倍では繰り込み移動し、中間から望遠までの変倍では繰り出し移動する。よって、中間の状態で光学系の全長が最も短くなり、広角時と望遠時との全長がほぼ等しくなり、全体として小型の対物レンズ系となっている。
【発明の開示】
【発明が解決しようとする課題】
【０００７】
　しかしながら、特開平３−４２１７号公報に記載の光学系では、光学系を構成しているレンズ枚数が多く、光学系中対物レンズ系の占める長さもかなり長いため、コスト的にも見合わず、形状も大型のものとなる。
　一方、特開平５−５３０５４号公報に記載の光学系では、確かに光学系の小型化は達成されてはいるが、このまま更に変倍比を高めようとすると、変倍時の収差変動が大きくなってしまって、良好な視野像を得ることができなくなってしまう。
　更に、負，正，負の変倍対物レンズ系を有する光学系としては、特開平３−２３３４２０号公報，特開平４−２３０７１９号公報及び特開平５−３４６６１０号公報において夫々開示されているが、これらは何れも対物レンズ系のバックフォーカス部が短く構成されているため、かかるバックフォーカス部内に二個以上の反射部材を配置することはできない。
【０００８】
　又、画角が狭くなる望遠時においては、視野外から光学系内に入射してくる有害光によってフレアが発生する場合があり、フレアのない良好な視野像を得るためには、対物レンズ系の前側に遮光部材を設置することが好ましいことは周知の通りである。しかし、前述した各先行例のファインダー光学系では、図１２に示すように、広角時と望遠時とにおける光学系の全長の長さがほぼ等しくなるため、望遠時の状態に合わせて遮光部材２０を設定すると、広角時に視野ケラレが発生してしまう。又、逆に、広角時の状態に合わせて遮光部材２０を設定すると、望遠時での有害光除去効果が薄れ良好な視野像を得られなくなる。
【０００９】
　そこで、本発明は上記従来技術の問題点に鑑みなされたもので、その第一の目的は小型でも高変倍化が可能な実像式変倍ファインダー光学系を提供することであり、又、第二の目的はフレアの発生しない良好な視野像を得ることができる高性能な実像式変倍ファインダー光学系を提供することである。
【課題を解決するための手段】
【００１０】
　上記目的を達成するため、本発明による実像式ファインダー光学系は、物体側から順に配置された、正の屈折力を有する対物レンズ系と、この対物レンズ系による中間結像を正立正像にするための複数の反射部材を有する正立正像系と、正の屈折力を有する接眼レンズ系とを備えた実像式変倍ファインダー光学系において、前記対物レンズ系は、第一レンズ群と、負の屈折力を有する第二レンズ群と、正の屈折力を有する第三レンズ群と、負の屈折力を有する第四レンズ群とを含み、該第四レンズ群と前記中間結像位置との間に前記正立正像系中の反射部材を少なくとも一つ配置し、変倍時に少なくとも前記第二，第三及び第四レンズ群を光軸方向に移動し得るようにしたことを特徴とする。
【００１１】
　また、本発明の光学系は、物体側から順に配置された、正の屈折力を有する対物レンズ系と、この対物レンズ系による中間結像を正立正像にするための複数の反射部材を有する正立正像系と、正の屈折力を有する接眼レンズ系とを備えた実像式変倍ファインダー光学系において、変倍時に最も物体側へ移動したレンズ群の物体側に遮光部材を配置し、以下の条件式の少なくとも何れか一方を満足するようにしたことも特徴としている。
　　　ＤT＞ＤW　　　　　　　　　　　　　　　　　　　　　・・・・（１）
　　　φW＞φT　　　　　　　　　　　　　　　　　　　　　・・・・（２）
　但し、ＤWは前記光学系の広角時における光軸上の遮光部材と最物体側の移動レンズ群との間隔、ＤTは前記光学系の望遠時における光軸上の遮光部材と最物体側の移動レンズ群との間隔、φWは前記光学系の広角時における光軸上の遮光部材の開口の大きさ、φTは前記光学系の望遠時における遮光部材の開口の大きさである。
【発明の効果】
【００１２】
　本発明によれば、高変倍が可能で、且つ、フレアの少ない良好な視野像を得ることができるという高い光学性能を備えた実像式変倍ファインダー光学系を得ることができる。
【発明を実施するための最良の形態】
【００１３】
　本発明による実像ファインダー光学系では、図９に示すように、主に、対物レンズ系を構成する第二レンズ群Ｇ2を、光軸ＬC方向の図示しない接眼レンズ系側（図の右側）から図示しない物体側（図の左側）に移動させることにより、広角（低倍）から望遠（高倍）への変倍が行われるようになっている。そして、変倍時に生じる中間結像位置２１のずれ（視度のずれ）と収差の変動を前記対物レンズ系を構成する第一レンズ群Ｇ1及び第三レンズ群Ｇ3を光軸ＬC方向に移動させることによって補正している。このように、本発明の光学系では、変倍時に三つのレンズ群が移動するので、変倍に伴う収差変動，特に像面湾曲の変動を、従来の光学系と比較して小さく最適化でき、より高変倍化を可能にしている。
【００１４】
　広角から中間までの変倍では第二レンズ群Ｇ2，第三レンズ群Ｇ3を共に物体側へ移動させ、又、第一レンズ群Ｇ1を接眼レンズ系側へ移動させることで、視度のずれを補正している。従って、広角時では、第二レンズ群Ｇ2と第三レンズ群Ｇ3との間隔を最小にでき、対物レンズ系全長に占める可動部長を短く構成することができる。又、第二レンズ群Ｇ2と第三レンズ群Ｇ3とは接近しているため、一つの正レンズ群と見做すことができ、対物レンズ系全体としては負，正のレトロフォーカスタイプとなる。従って、対物レンズ系のバックフォーカス部を長く確保して、そこに正立正像系の反射部材を配置することができる。更に、中間結像位置２１と接眼レンズ系との間隔も小さくすることができ、接眼レンズ系の性能も良好に保持することが可能になる。
【００１５】
　このとき、以下の条件式を満足することが好ましい。
　　　１．４＜ｄ3／Ｌ　　　　　　　　　　　　　　　　　　・・・・（３）
　但し、ｄ3は本発明の光学系の第三レンズ群から中間結像面までの間隔の最小値、Ｌは中間結像面の対角長である。
　ここで、ｄ3／Ｌの値が上記条件式（３）の取り得る値の範囲の下限を下回ると、光学系中に、二回反射の反射部材を余裕を持って配置することができなくなり、プリズムや枠部材の側面から光束までの距離が近づくため、側面反射によるゴースト等の不具合が発生し易くなる。
【００１６】
　逆に、中間から望遠までの変倍の際には、主に第三レンズ群Ｇ3を接眼レンズ系側へ移動させることによって、視度ずれを補正している。従って、第二レンズ群Ｇ2は第三レンズ群Ｇ3から離れ、第一レンズ群Ｇ1に接近し、今度は第一レンズ群Ｇ1と第二レンズ群Ｇ2とを一つの正レンズ群と見做すことができ、対物レンズ系全体としては正，負の望遠タイプとなる。よって、対物レンズ系の全長を短く構成でき、ファインダー光学系全体の小型化が実現できる。特に、第三レンズ群Ｇ3の屈折力を強め望遠タイプを強調すると、望遠時の光学系の全長を広角時の場合よりも短くすることができる。又、第三レンズ群Ｇ3の屈折力が弱いと、対物レンズ系の全長が長くなって、光学系全体が大きくなってしまう。
【００１７】
　従って、このときの望遠時の対物レンズ系の焦点距離ｆTと第三レンズ群の焦点距離ｆG3とは、以下の条件式を満足するように設定されることが好ましい。
　　　−２．５＜ｆG3／ｆT＜−０．１　　　　　　　　　　・・・・（４）
　しかし、ｆG3／ｆTの値が条件式（４）の取り得る値の範囲の下限を下回ると、第三レンズ群Ｇ3の屈折力が強くなりすぎて、第三レンズ群Ｇ3での収差が発生し易くなり、変倍時における収差変動を抑えきれなくなる。又、ｆG3／ｆTの値が条件式（４）の取り得る値の範囲の上限を越えると、第三レンズ群Ｇ3の屈折力が弱くなりすぎて、対物レンズ系の全長が長くなってしまう。
【００１８】
　又、主に変倍を行う第二レンズ群Ｇ2の屈折力を強めることで、変倍時における第二レンズ群Ｇ2の移動量を少なくして対物レンズ系の可動部の長さを短く構成することにより、光学系全体の小型化が可能になる。この場合、望遠時の対物レンズ系の焦点距離ｆTと第二レンズ群Ｇ2の焦点距離ｆG2とは、以下の条件式を満足するように設定されることが好ましい。
　　　０．２＜ｆG2／ｆT＜０．４１　　　　　　　　　　　・・・・（５）
　しかし、ｆG2／ｆTの値が条件式（５）の取り得る値の範囲の下限を下回ると、第二レンズ群Ｇ2の屈折力が強くなりすぎて、第二レンズ群Ｇ2での収差が発生し易くなり、変倍時における収差変動を抑えきれなくなる。又、ｆG2／ｆTの値が条件式（５）の取り得る値の範囲の上限を越えると、第二レンズ群Ｇ2の移動量が大きくなって、対物レンズ系の可動部が長くなってしまう。
【００１９】
　更に、第二レンズ群Ｇ2に非球面を用いればかかるレンズ群のレンズ構成枚数を少なくすることができ、且つ、球面収差の発生を抑制することができる。このとき、望遠時の対物レンズ系の焦点距離ｆTと第二レンズ群の焦点距離ｆG2とは、以下の条件式を満足するように設定されることが好ましい。
　　　０．１５＜ｆG2／ｆT＜０．３３　　　　　　　　　　・・・・（６）
【００２０】
　又、図１０（ａ）に示すように、対物レンズ系３０の物体側（図の左側）に、光軸ＬC上を移動可能な遮光部材３１を配置し、望遠時に対物レンズ系３０から離れるように移動させれば、視野外から有害光が光学系内に入射するのを防止することができる。更に、図１０（ｂ）に示すように、遮光部材３１の開口の大きさφを変えることができるように構成すると、望遠時にその遮光部材３１の開口が小さくなるようにしても、前記同様に視野外から有害光が光学系内に入射するのを防止することができる。
　このとき、以下の条件式の少なくとも何れか一方を満足することが必要になる。
　　　ＤW＞ＤT　　　　　　　　　　　　　　　　　　　　　・・・・（１）
　　　φW＞φT　　　　　　　　　　　　　　　　　　　　　・・・・（２）
　但し、ＤWは光学系の広角時における光軸上の遮光部材と最物体側の移動レンズ群との間隔、ＤTは光学系の望遠時における光軸上の遮光部材と最物体側の移動レンズ群との間隔、φWは光学系の広角時における光軸上の遮光部材の開口の大きさ、φTは光学系の望遠時における遮光部材の開口の大きさである。
【００２１】
　更に、前述のように、第三レンズ群の屈折力を強め、光学系の広角時の場合よりも望遠時の場合での全長が短くなるように構成すれば、遮光部材の開口径が固定のものであっても条件式（１）を満足することができ、望遠時での遮光効果を発揮し、広角時でのケラレを防止することができる。この場合には、遮光部材を駆動する機構が不要となり、更なる光学系の小型化，低コスト化が実現できる。このとき、望遠時の対物レンズ系の焦点距離ｆTと第三レンズ群の焦点距離ｆG3とは、以下の条件式を満足するように設定されることが好ましい。
　　　−１．０＜ｆG3／ｆT−０．１　　　　　　　　　　　・・・・（７）
【実施例】
【００２２】
　以下、図示した実施例に基づき、本発明を詳細に説明する。
第一実施例
　図１は、本実施例にかかる実像式変倍ファインダー光学系の構成を示す光軸に沿う断面図であり、（ａ）は広角，（ｂ）は中間，（ｃ）は望遠での状態を夫々示している。
【００２３】
　本実施例の光学系は、図１（ａ）乃至（ｃ）に示すように、対物レンズ系１と接眼レンズ系２とにより構成されている。対物レンズ系１は、一枚の負レンズからなる第一レンズ群Ｇ1と、一枚の正レンズからなる第二レンズ群Ｇ2と、一枚の負レンズからなる第三レンズ群Ｇ3と、二回反射可能なプリズム１ａとにより構成されている。そして、第一レンズ群Ｇ1，第二レンズ群Ｇ2及び第三レンズ群Ｇ3は夫々独立に光軸ＬC上を移動できるようになっている。又、接眼レンズ系２は、二回反射可能なプリズム２ａと一枚の正レンズ２ｂとにより構成されている。又、プリズム１ａとプリズム２ａとの間には視野枠３が配置されている。
【００２４】
　このように構成されることにより、本実施例の光学系では、第一レンズ群Ｇ1，第二レンズ群Ｇ2及び第三レンズ群Ｇ3が光軸ＬC上を移動することによって、変倍が行われる。又、本実施例の光学系では、プリズム１ａ，２ａにおいて、対物レンズ系１中の第一レンズ群Ｇ1，第二レンズ群Ｇ2及び第三レンズ群Ｇ3により形成された逆転像（中間結像）が夫々二回ずつ計四回反射され、更に、接眼レンズ系２中の正レンズ２ｂを介することにより、正立正像が得られる。
【００２５】
　更に、第一レンズ群Ｇ1の物体側（図の左側）には開口の大きさφが調節できるフレア絞り（遮光部材）４が設けられている。これにより光学系の望遠時（図１（ｃ）参照）での開口の大きさφを小さくすることができ、有害光が光学系中に入射するのを防止して、良好な視野像を得ることができる。
【００２６】
　以下、本実施例にかかる実像式変倍ファインダー光学系を構成するレンズの数値データを示す。
　ファインダー倍率
　　０．４０倍（広角），０．８０倍（中間），１．２０倍（望遠）
　半画角（ω）
　　２９．７°（広角），１４．６°（中間），９．６°（望遠）
　光軸上でのフレア絞りと最物体側の移動レンズ群との間隔Ｄ
　　５．０（広角），６．５０４（中間），７．３５２（望遠）
　フレア絞りの開口の大きさφ
　　１５．４（広角），１０．２（中間），８．８（望遠）
【００２７】
ｒ1＝-217.7000
ｄ1＝1.0000　ｎ1＝1.58423 　ν1＝30.49
ｒ2＝6.6500 (非球面)
ｄ2＝17.34500 (広角) ，8.57000  (中間），4.48400 （望遠）
ｒ3＝9.1740 (非球面)
ｄ3＝2.7000　ｎ3＝1.49241 　ν3＝57.66
ｒ4＝-9.6500
ｄ4＝1.45500  (広角) ，3.65700  (中間），11.96400（望遠）
ｒ5＝835.9850 (非球面)
ｄ5＝1.0000  ｎ5＝1.58423 　ν5＝30.49
ｒ6＝21.8590
ｄ6＝1.50000  (広角) ，6.56900  (中間），1.50000 （望遠）
ｒ7＝∞
ｄ7＝25.0000  ｎ7＝1.49241 　ν7＝57.66
ｒ8＝∞
ｄ8＝1.0000
ｒ9＝16.5310
　ｄ9＝26.5000 ｎ9＝1.52542 　ν9＝55.78
ｒ10＝∞
ｄ10＝2.2500
ｒ11＝17.52000
ｄ11＝3.1000　ｎ11＝1.49241 　ν11＝57.66
ｒ12＝-25.9220 (非球面)
ｄ12＝20.0000
ｒ13（アイポイント）
【００２８】
非球面係数
　第２面
　Ｋ＝0
Ｅ＝-2.2121 ×10-4，　Ｆ＝-6.6157 ×10-6，
Ｇ＝1.5806×10-7
第３面
Ｋ＝0
Ｅ＝-4.1686 ×10-4，　Ｆ＝-2.6995 ×10-6，
　Ｇ＝6.7200×10-8
　第５面
Ｋ＝0
Ｅ＝-3.6135 ×10-4，　Ｆ＝1.2108×10-5，
　Ｇ＝-7.5700 ×10-7
　第１２面
Ｋ＝0
Ｅ＝7.6136×10-5，　Ｆ＝3.4507×10-7，
　Ｇ＝-4.6801 ×10-9
【００２９】
　又、本実施例の実像式変倍ファインダー光学系において、
　　　ｄ3／Ｌ34＝２．８７
　　　ｆG3／ｆT＝−１．５
　　　ｆG2／ｆT＝０．４００
であるため、上記条件式（３）乃至（５）の何れをも満足している。
　又、上記の数値データから条件式（１）及び（２）も満たされていることは云うまでもない。
【００３０】
　尚、図２は、本実施例にかかる実像式変倍ファインダー光学系の収差曲線図であり、（ａ）は広角，（ｂ）は中間，（ｃ）は望遠での状態を夫々示した図である。
【００３１】
第二実施例
　図３は、本実施例にかかる実像式変倍ファインダー光学系の構成を示す光軸に沿う断面図であり、（ａ）は広角，（ｂ）は中間，（ｃ）は望遠での状態を夫々示している。
【００３２】
　本実施例の光学系は、図３（ａ）乃至（ｃ）に示すように、対物レンズ系５と接眼レンズ系６とにより構成されている。対物レンズ系５は、二枚の負レンズからなる第一レンズ群Ｇ1と、一枚の正レンズからなる第二レンズ群Ｇ2と、一枚の負レンズからなる第三レンズ群Ｇ3と、三回反射可能なプリズム５ａとにより構成されている。そして、第一レンズ群Ｇ1，第二レンズ群Ｇ2及び第三レンズ群Ｇ3は夫々独立に光軸ＬC上を移動できるようになっている。又、接眼レンズ系６は、一回反射可能なプリズム６ａと一枚の正レンズ６ｂとにより構成されている。又、プリズム５ａとプリズム６ａとの間には視野枠３が配置されている。
【００３３】
　このように構成されることにより、本実施例の光学系では、第一レンズ群Ｇ1，第二レンズ群Ｇ2及び第三レンズ群Ｇ3が光軸ＬC上を移動して変倍が行われる。又、本実施例の光学系では、対物レンズ系５中の第一レンズ群Ｇ3，第二レンズ群Ｇ2及び第三レンズ群Ｇ3による物体の逆転像が、プリズム５ａにおいて三回，プリズム６ａにおいて一回計四回反射され、更に、接眼レンズ系６中の正レンズ６ｂを介することによって、正立正像が得られる。
【００３４】
　又、本実施例の光学系においても、第一実施例に示した光学系と同様に、第一レンズ群Ｇ1の物体側（図の左側）にはフレア絞り１１が設けられている。本実施例の光学系では、図３（ａ）及び（ｃ）に示したように、望遠時の状態の方が広角時での状態よりも対物レンズ系５の全長が短くなるため、フレア絞り１１が固定されていても、光学系の望遠時にフレア絞り１１と第一レンズ群Ｇ1との間隔が拡がり、光学系に入射する有害光を有効にカットすることができる。
【００３５】
　以下、本実施例にかかる実像式変倍ファインダー光学系を構成するレンズの数値データを示す。
　ファインダー倍率
　　０．４５倍（広角），０．９０倍（中間），１．８０倍（望遠）
　半画角（ω）
　　２８．１°（広角），１３．７°（中間），６．７°（望遠）
　光軸上でのフレア絞りと最物体側の移動レンズ群との間隔Ｄ
　　０（広角），２．４４（中間），６．７９（望遠）
　フレア絞りの開口の大きさφ
　　１３．３（広角），１３．３（中間），１３．３（望遠）
【００３６】
ｒ1＝11.8270
ｄ1＝1.0000　ｎ1＝1.58423 　ν1＝30.49
ｒ2＝6.7250 (非球面)
ｄ2＝3.3000
ｒ3＝40.2590
ｄ3＝1.2000　ｎ3＝1.58423 　ν3＝30.49
ｒ4＝12.5290(非球面)
ｄ4＝21.62000 (広角) ，10.06000 (中間），1.00000 （望遠）
ｒ5＝10.2850(非球面)
ｄ5＝4.0000  ｎ5＝1.49241 　ν5＝57.66
ｒ6＝-9.6750
ｄ6＝1.00000  (広角) ，1.49000  (中間），12.26000（望遠）
ｒ7＝-174.8950(非球面)
ｄ7＝1.0000  ｎ7＝1.58423 　ν7＝30.49
ｒ8＝18.9000
ｄ8＝1.89000  (広角) ，10.52000 (中間），4.46000 （望遠）
ｒ9＝∞
ｄ9＝28.0000  ｎ9＝1.49241 　ν9＝57.66
ｒ10＝∞
ｄ10＝1.0000
ｒ11＝19.0000
ｄ11＝20.0000 ｎ11＝1.49241 　ν11＝57.66
ｒ12＝∞
ｄ12＝6.2000
ｒ13＝17.5000
ｄ13＝3.1000  ｎ13＝1.49241 　ν13＝57.66
ｒ14＝-25.9000 (非球面)
ｄ14＝20.0000
ｒ15（アイポイント）
【００３７】
非球面係数
　第２面
　Ｋ＝0
Ｅ＝3.2874×10-4，　Ｆ＝-1.1859 ×10-6，
Ｇ＝4.7707×10-7
　第４面
Ｋ＝0
Ｅ＝-5.2663 ×10-4，　Ｆ＝4.4640×10-6，
　Ｇ＝-2.8524 ×10-7
　第５面
Ｋ＝0
Ｅ＝-4.6494 ×10-4，　Ｆ＝2.7284×10-6，
　Ｇ＝-1.0533 ×10-7
　第７面
Ｋ＝0
Ｅ＝-7.6338 ×10-5，　Ｆ＝-5.4740 ×10-6，
　Ｇ＝2.0688×10-7
　第１４面
Ｋ＝0
Ｅ＝7.4132×10-5，　Ｆ＝-2.5300 ×10-7，
　Ｇ＝2.5960×10-9
【００３８】
又、本実施例の実像式変倍ファインダー光学系において、
　　　ｄ3／Ｌ34＝３．０４
　　　ｆG3／ｆT＝−０．８
　　　ｆG2／ｆT＝０．２８６
であるため、上記条件式（３）乃至（５）の何れをも満足している。
　又、上記の数値データから条件式（１）及び（２）も満たされていることは云うまでもない。
【００３９】
　尚、図４は、本実施例にかかる実像式変倍ファインダー光学系の収差曲線図であり、（ａ）は広角，（ｂ）は中間，（ｃ）は望遠での状態を夫々示した図である。
【００４０】
第三実施例
　図５は、本実施例にかかる実像式変倍ファインダー光学系の構成を示す光軸に沿う断面図であり、（ａ）は広角，（ｂ）は中間，（ｃ）は望遠での状態を夫々示している。
【００４１】
　本実施例の光学系は、図５（ａ）乃至（ｃ）に示すように、対物レンズ系７と接眼レンズ系８とにより構成されている。対物レンズ系７は、屈折力の弱い一枚の単レンズからなる第一レンズ群Ｇ1と、一枚の負レンズからなる第二レンズ群Ｇ2と、一枚の正レンズからなる第三レンズ群Ｇ3と、一枚の負レンズからなる第四レンズ群Ｇ4と、二回反射可能なプリズム７ａとから構成されている。そして、対物レンズ系７を構成している第二レンズ群Ｇ2，第三レンズ群Ｇ3及び第四レンズ群Ｇ4は夫々独立に光軸ＬC上を移動できるようになっている。又、接眼レンズ系８は、二回反射可能なプリズム８ａと一枚の正レンズ８ｂとにより構成されている。又、プリズム７ａとプリズム８ａとの間には視野枠３が配置されている。
【００４２】
　このように構成されることにより、本実施例の光学系では、第二レンズ群Ｇ2，第三レンズ群Ｇ3及び第四レンズＧ4が光軸ＬC上を移動して変倍が行われる。第一レンズ群Ｇ1は変倍時には固定された状態であるが、被写体距離に応じて光軸ＬC上を移動させることによって、被写体距離の変化による視度ずれを補正することができる。又、本実施例の光学系では、対物レンズ系７中の第一レンズ群Ｇ1，第二レンズ群Ｇ2，第三レンズ群Ｇ3及び第四レンズ群Ｇ4による物体の逆転像が、プリズム７ａ，８ａにおいて夫々二回ずつ計四回反射され、更に、接眼レンズ系８中の正レンズ８ｂを介することによって、正立正像が得られる。
【００４３】
　更に、本実施例の光学系では、第一レンズ群Ｇ1の接眼レンズ系８側に固定されたフレア絞り１１が設けられている。又、本実施例の光学系でも、図５（ａ）及び（ｃ）に示したように、望遠時の状態の方が広角時での状態よりも対物レンズ系７の全長が短くなるため、フレア絞り１１が固定されていても、光学系の望遠時にフレア絞り１１と第二レンズ群Ｇ2との間隔が拡がり、光学系に入射する有害光を有効にカットすることができる。
【００４４】
　以下、本実施例にかかる実像式変倍ファインダー光学系を構成するレンズの数値データを示す。
　ファインダー倍率
　　０．４５倍（広角），０．９０倍（中間），１．８０倍（望遠）
　半画角（ω）
　　２７．４°（広角），１３．２°（中間），６．５°（望遠）
　光軸上でのフレア絞りと最物体側の移動レンズ群との間隔Ｄ
　　０．６９（広角），２．８９（中間），３．０７（望遠）
　フレア絞りの開口の大きさφ
　　９．２（広角），９．２（中間），９．２（望遠）
【００４５】
ｒ1＝8.0700
ｄ1＝1.0000　ｎ1＝1.58423 　ν1＝30.49
ｒ2＝6.2250
ｄ2＝3.99000  (広角) ，6.19000  (中間），6.37000 （望遠）
ｒ3＝-26.3100
ｄ3＝1.2000　ｎ3＝1.58423 　ν3＝30.49
ｒ4＝19.5200(非球面)
ｄ4＝18.96000 (広角) ，8.17000  (中間），1.00000 （望遠）
ｒ5＝9.5180 (非球面)
ｄ5＝2.9100  ｎ5＝1.52540 　ν5＝56.25
ｒ6＝-10.6510
ｄ6＝1.00000  (広角) ，1.68000  (中間），9.81000 （望遠）
ｒ7＝84.4050(非球面)
ｄ7＝1.0000  ｎ7＝1.58423 　ν7＝30.49
ｒ8＝14.0220
ｄ8＝1.94000  (広角) ，9.85000  (中間），8.72000 （望遠）
ｒ9＝∞
ｄ9＝25.2800 ｎ9＝1.49241 　ν9＝57.66
ｒ10＝∞
ｄ10＝1.0000
ｒ11＝18.2370
ｄ11＝26.5000 ｎ11＝1.52540 　ν11＝56.25
ｒ12＝∞
ｄ12＝2.2500
ｒ13＝15.5820
ｄ13＝3.7900  ｎ13＝1.49241 　ν13＝57.66
ｒ14＝-31.5370 (非球面)
ｄ14＝20.0000
ｒ15（アイポイント）
【００４６】
非球面係数
　第４面
　Ｋ＝0
Ｅ＝-1.2900 ×10-4，　Ｆ＝4.2007×10-6，
Ｇ＝-4.7480 ×10-8
　第５面
Ｋ＝0
Ｅ＝-4.4328 ×10-4，　Ｆ＝2.4458×10-6，
　Ｇ＝-4.1813 ×10-8
　第７面
Ｋ＝0
Ｅ＝-1.6696 ×10-4，　Ｆ＝-8.5261 ×10-7，
　Ｇ＝-6.2654 ×10-8
　第１４面
Ｋ＝0
Ｅ＝8.0013×10-5，　Ｆ＝-9.7566 ×10-8，
　Ｇ＝4.7291×10-10
【００４７】
又、本実施例の実像式変倍ファインダー光学系において、
　　　ｄ3／Ｌ34＝２．８１
　　　ｆG3／ｆT＝−０．８
　　　ｆG2／ｆT＝０．２６７
であるため、上記条件式（３）乃至（５）の何れをも満足している。
　又、上記の数値データから条件式（１）及び（２）も満たされていることは云うまでもない。
【００４８】
　尚、図６は、本実施例にかかる実像式変倍ファインダー光学系の収差曲線図であり、（ａ）は広角，（ｂ）は中間，（ｃ）は望遠での状態を夫々示した図である。
【００４９】
第四実施例
　図７は、本実施例にかかる実像式変倍ファインダー光学系の構成を示す光軸に沿う断面図であり、（ａ）は広角，（ｂ）は中間，（ｃ）は望遠での状態を夫々示している。
【００５０】
　本実施例の光学系は、図７（ａ）乃至（ｃ）に示すように、対物レンズ系９と接眼レンズ系１０とにより構成されている。対物レンズ系９は、一枚の負レンズからなる第一レンズ群Ｇ1と、一枚の正レンズからなる第二レンズ群Ｇ2と、一枚の負レンズからなる第三レンズ群Ｇ3と、二回反射可能な図示しないダハミラーと、フィールドレンズ９ａとから構成されている。そして、対物レンズ系９を構成している第一レンズ群Ｇ1，第二レンズ群Ｇ2及び第三レンズ群Ｇ3は夫々独立に光軸ＬC上を移動できるようになっている。又、接眼レンズ系１０は、二回反射可能なペンタプリズム１０ａと一枚の正レンズ１０ｂとにより構成されている。又、フィールドレンズ１０ａとペンタプリズム１０ｂとの間には、視野枠３が配置されている。
【００５１】
　このように構成されることにより、本実施例の光学系では、第一レンズ群Ｇ1，第二レンズ群Ｇ2及び第三レンズＧ3が光軸ＬC上を移動して変倍が行われる。又、本実施例の光学系では、対物レンズ系９中の第一レンズ群Ｇ3，第二レンズ群Ｇ2及び第三レンズ群Ｇ3により形成された物体の逆転像が、前記ダハプリズムとプリズム１０ａにおいて夫々二回ずつ計四回反射され、更に、接眼レンズ系１０中の正レンズ１０ｂを介することによって、正立正像が得られる。
【００５２】
　更に、本実施例の光学系では、第一レンズ群Ｇ1の物体側（図の左側）に光軸ＬC方向に移動可能なフレア絞り１２が設けられている。このフレア絞り１２は、光学系の望遠時に前記物体側へ移動するようになっている。
　このように、本実施例の光学系では、フレア絞り１２を光軸ＬC方向に移動させることにより、開口の大きさφが一定のフレア絞りであっても、広角時においてはケラレの発生を防止でき、望遠時においては有害光が光学系に入射するのを防止することができる。
【００５３】
　以下、本実施例にかかる実像式変倍ファインダー光学系を構成するレンズの数値データを示す。
　ファインダー倍率
　　０．３５倍（広角），０．６０倍（中間），１．０５倍（望遠）
　半画角（ω）
　　３０．１°（広角），１６．３°（中間），９．１°（望遠）
　光軸上でのフレア絞りと最物体側の移動レンズ群との間隔Ｄ
　　２．０（広角），４．７（中間），９．７（望遠）
　フレア絞りの開口の大きさφ
　　７．５（広角），７．５（中間），７．５（望遠）
【００５４】
ｒ1＝-7.8091
ｄ1＝1.2000　ｎ1＝1.58423 　ν1＝30.49
ｒ2＝7.7971 (非球面)
ｄ2＝10.1000  (広角) ，5.17518  (中間），1.73519 （望遠）
ｒ3＝4.4750 (非球面)
ｄ3＝2.5000　ｎ3＝1.49241 　ν3＝57.66
ｒ4＝-4.9908(非球面)
ｄ4＝1.00000  (広角) ，2.33955  (中間），5.36481 （望遠）
ｒ5＝-39.9198
ｄ5＝1.2000  ｎ5＝1.58423 　ν5＝30.49
ｒ6＝4.3385 (非球面)
ｄ6＝14.00000 (広角) ，15.00000 (中間），14.00000（望遠）
ｒ7＝13.1734(非球面)
ｄ7＝2.8000  ｎ7＝1.49241 　ν7＝57.66
ｒ8＝-12.8551
ｄ8＝1.0000
ｒ9＝∞
ｄ9＝32.5000  ｎ9＝1.49241 　ν9＝57.66
ｒ10＝∞
ｄ10＝1.5000
ｒ11＝17.2118(非球面)
ｄ11＝2.0040  ｎ11＝1.49241 　ν11＝57.66
ｒ12＝-36.2621
ｄ12＝15.0000
ｒ13 (アイポイント)
【００５５】
非球面係数
　第２面
　Ｋ＝0
Ｅ＝-1.3843 ×10-3，　Ｆ＝3.3521×10-5，
Ｇ＝3.3080×10-6
　第３面
Ｋ＝0
Ｅ＝-2.4248 ×10-3，　Ｆ＝-6.9924 ×10-5，
　Ｇ＝-3.3791 ×10-6
　第４面
Ｋ＝0
Ｅ＝2.7366×10-3，　Ｆ＝-1.0305 ×10-4，
　Ｇ＝1.5308×10-6
　第６面
Ｋ＝0
Ｅ＝-1.7843 ×10-3，　Ｆ＝4.2995×10-4，
　Ｇ＝-5.0842 ×10-5
　第７面
Ｋ＝0
Ｅ＝-1.1077 ×10-3，　Ｆ＝4.8665×10-5，
　Ｇ＝-8.9924 ×10-7
　第１１面
　Ｋ＝0
　Ｅ＝-9.0149 ×10-5，　Ｆ＝3.3791×10-6，
　Ｇ＝-7.6166 ×10-8
【００５６】
又、本実施例の実像式変倍ファインダー光学系において、
　　　ｄ3／Ｌ34＝１．６７
　　　ｆG3／ｆT＝−０．３
　　　ｆG2／ｆT＝０．２０８
であるため、上記条件式（３）乃至（５）の何れをも満足している。
　又、上記の数値データから条件式（１）及び（２）も満たされていることは云うまでもない。
【００５７】
　尚、図８は、本実施例にかかる実像式変倍ファインダー光学系の収差曲線図であり、（ａ）は広角，（ｂ）は中間，（ｃ）は望遠での状態を夫々示した図である。
【００５８】
　但し、上記各実施例において、ｒ1，ｒ2，・・・・は各レンズ面又はプリズム面の曲率半径、ｄ1，ｄ2，・・・・は各レンズ又はプリズムの肉厚又は間隔、ｎ1，ｎ2，・・・・は各レンズ又はプリズムの屈折率、ν1，ν2，・・・・は各レンズ又はプリズムのアッベ数、Ｋは円錐係数，Ｅ，Ｆ，Ｇは非球面係数を夫々示している。
　又、上記各非球面形状は、上記各非球面係数を用いて以下の式で表される。但し、光軸方向の座標をＺ，光軸と垂直な方向の座標をＹとする。
2004110078.tif 000003
　ここで、Ｃは非球面頂点での曲率（＝１／ｒ）である。
【００５９】
　以上説明したように、本発明の実像式変倍ファインダー光学系は、特許請求の範囲に記載した特徴の他に、以下に示すような特徴も備えている。
【００６０】
　（１）前記実像式変倍ファインダー光学系において、第三レンズ群と接眼レンズ系との間の間隔をｄ3、中間結像面の対角長をＬとするとき、以下の条件式を満足するようにしたことを特徴とする請求項２又は３に記載の実像式変倍ファインダー光学系。
　　　　１．４＜ｄ3／Ｌ
【００６１】
　（２）前記実像式ファインダー光学系において、望遠時の対物レンズ系の焦点距離をｆT、第三レンズ群の焦点距離をｆG3とするとき、以下の条件式を満足するようにしたことを特徴とする請求項１に記載の実像式変倍ファインダー光学系。
　　　−２．５＜ｆG3／ｆT＜−０．１
【００６２】
　（３）前記実像式変倍ファインダー光学系において、望遠時の対物レンズ系の焦点距離をｆT、第二レンズ群の焦点距離をｆG2とするとき、以下の条件式を満足するようにしたことを特徴とする請求項１に記載の実像式変倍ファインダー光学系。
　　　０．２＜ｆG2／ｆT＜０．４１
【００６３】
　（４）前記実像式変倍ファインダー光学系において、望遠時の対物レンズ系の焦点距離をｆT、第二レンズ群の焦点距離をｆG2とするとき、以下の条件式を満足するようにしたことを特徴とする請求項１に記載の実像式変倍ファインダー光学系。
　　　０．１５＜ｆG2／ｆT＜０．３３
【００６４】
　（５）前記実像式変倍ファインダー光学系において、望遠時の対物レンズ系の焦点距離をｆT、第三レンズ群の焦点距離をｆG3とするとき、以下の条件式を満足するようにしたことを特徴とする請求項１に記載の実像式変倍ファインダー光学系。
　　　−２．５＜ｆG3／ｆT＜−０．１
【図面の簡単な説明】
【００６５】
【図１】本発明の第一実施例にかかる実像式変倍ファインダー光学系の構成を示す光軸に沿う断面図であり、（ａ）は広角，（ｂ）は中間，（ｃ）は望遠での状態を夫々示した図である。
【図２】本発明の第一実施例にかかる実像式変倍ファインダー光学系の収差曲線図であり、（ａ）は広角，（ｂ）は中間，（ｃ）は望遠での状態を夫々示した図である。
【図３】本発明の第二実施例にかかる実像式変倍ファインダー光学系の構成を示す光軸に沿う断面図であり、（ａ）は広角，（ｂ）は中間，（ｃ）は望遠での状態を夫々示した図である。
【図４】本発明の第二実施例にかかる実像式変倍ファインダー光学系の収差曲線図であり、（ａ）は広角，（ｂ）は中間，（ｃ）は望遠での状態を夫々示した図である。
【図５】本発明の第三実施例にかかる実像式変倍ファインダー光学系の構成を示す光軸に沿う断面図であり、（ａ）は広角，（ｂ）は中間，（ｃ）は望遠での状態を夫々示した図である。
【図６】本発明の第三実施例にかかる実像式変倍ファインダー光学系の収差曲線図であり、（ａ）は広角，（ｂ）は中間，（ｃ）は望遠での状態を夫々示した図である。
【図７】本発明の第四実施例にかかる実像式変倍ファインダー光学系の構成を示す光軸に沿う断面図であり、（ａ）は広角，（ｂ）は中間，（ｃ）は望遠での状態を夫々示した図である。
【図８】本発明の第四実施例にかかる実像式変倍ファインダー光学系の収差曲線図であり、（ａ）は広角，（ｂ）は中間，（ｃ）は望遠での状態を夫々示した図である。
【図９】本発明の実像式変倍ファインダー光学系の対物レンズ系の構成を示す概念図である。
【図１０】本発明の実像式変倍ファインダー光学系に設けられるフレア絞り（遮光部材）を説明するための図であり、（ａ）は光軸上を移動可能なフレア絞りの説明図，（ｂ）は開口の大きさが変更可能なフレア絞りの説明図である。
【図１１】（ａ）及び（ｂ）は従来の実像式変倍ファインダー光学系の対物レンズ系の構成を示す概念図である。
【図１２】従来の実像式変倍ファインダー光学系に設けられたフレア絞りを説明するための図である。
【符号の説明】
【００６６】
　　　　１，５，７，９　　　対物レンズ系
　　　　２，６，８，１０　　接眼レンズ系
　　　　１ａ，２ａ，５ａ，６ａ，７ａ，８ａ，１０ａ　　プリズム
　　　　９ａ　　　　　　　　フィールドレンズ
　　　　３　　　　　　　　　視野枠
　　　　４，１１，１２　　　フレア絞り（遮光部材）
　　　　Ｇ1　　　　　　　　第一レンズ群
　　　　Ｇ2　　　　　　　　第二レンズ群
　　　　Ｇ3　　　　　　　　第三レンズ群
　　　　Ｇ4　　　　　　　　第四レンズ群
　　　　ＬC　　　　　　　　光軸
【図１】
2004110078.tif 000004
【図２】
2004110078.tif 000005
【図３】
2004110078.tif 000006
【図４】
2004110078.tif 000007
【図５】
2004110078.tif 000008
【図６】
2004110078.tif 000009
【図７】
2004110078.tif 000010
【図８】
2004110078.tif 000011
【図９】
2004110078.tif 000012
【図１０】
2004110078.tif 000013
【図１１】
2004110078.tif 000014
【図１２】
2004110078.tif 000015